【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
情報処理装置とデータ通信するためのデータ通信手段と、
データを記憶する複数のメモリ手段と、
複数の上記メモリ手段を制御して、上記情報処理装置から上記データ通信手段を介して取り込んだ上記データを複数の上記メモリ手段に書き込むデータ書込処理、又は上記情報処理装置から要求された上記データを複数の上記メモリ手段から読み出すデータ読出処理を任意のデータ転送速度で実行する制御手段と
を具え、
上記制御手段は、
上記情報処理装置から上記データ通信手段を介して取り込んだ、消費電力の異なる複数の処理実行形態のうち１の当該処理実行形態を指定する指定信号に基づき、当該指定信号により指定された上記処理実行形態での上記消費電力に見合ったデータ転送最低速度を保障するデータ転送速度で上記データ書込処理又は上記データ読出処理を実行する
記憶装置。
【請求項２】
設定可能な処理実行形態を、当該処理実行形態に応じた上記消費電力、上記データ転送速度、上記データ書込処理又は上記データ読出処理に用いる上記メモリ手段の個数と対応付けて示す１又は複数の処理実行形態情報を記憶する形態情報記憶手段
を具え、
上記制御手段は、
上記情報処理装置から送信された上記指定信号が上記データ通信手段によって受信されると、上記形態情報記憶手段に記憶された１又は複数の上記処理実行形態情報のうち、上記指定信号により指定された上記処理実行形態を示す上記処理実行形態情報に基づき、上記データ書込処理又は上記データ読出処理を当該処理実行形態での上記消費電力に見合った上記データ転送最低速度を保障する上記データ転送速度で実行するように設定する
請求項１に記載の記憶装置。
【請求項３】
上記データ通信手段は、
上記情報処理装置とＰＣＩエキスプレス（PCI Express）方式に基づいてデータ通信する
請求項２に記載の記憶装置。
【請求項４】
データを記憶する複数のメモリ手段と、複数の当該メモリ手段を制御して、本装置の送信する上記データを複数の上記メモリ手段に書き込むデータ書込処理、又は上記本装置の要求した上記データを複数の上記メモリ手段から読み出すデータ読出処理を任意のデータ転送速度で実行する制御手段とを有する記憶装置とデータ通信するためのデータ通信手段と、
消費電力の異なる複数の処理実行形態のうち１の当該処理実行形態を指定する指定信号を、上記制御手段に当該指定信号が指定する上記処理実行形態での上記消費電力に見合ったデータ転送最低速度を保障するデータ転送速度で上記データ書込処理又は上記データ読出処理を実行させるために上記データ通信手段を介して上記記憶装置に送信する送信制御手段と
を具える情報処理装置。
【請求項５】
上記データ通信手段は、
上記記憶装置とＰＣＩエキスプレス（PCI Express）方式に基づいてデータ通信する
請求項４に記載の情報処理装置。
【手続補正２】
【補正対象書類名】明細書
【補正対象項目名】発明の名称
【補正方法】変更
【補正の内容】
【発明の名称】記憶装置及び情報処理装置
【手続補正３】
【補正対象書類名】明細書
【補正対象項目名】０００１
【補正方法】変更
【補正の内容】
【０００１】
本発明は記憶装置及び情報処理装置に関し、例えば、パーソナルコンピュータやデジタルカメラ等の情報処理装置から供給されるデータを内部の半導体メモリに対して記憶するようになされた半導体記憶装置に適用して好適なものである。
【手続補正４】
【補正対象書類名】明細書
【補正対象項目名】０００７
【補正方法】変更
【補正の内容】
【０００７】
本発明は以上の点を考慮してなされたもので、記憶装置のデータ書込処理速度やデータ読出処理速度を適宜変更することができる記憶装置及び情報処理装置、並びに、記憶装置のデータ書込処理速度やデータ読出処理速度を保障することができる記憶装置及び情報処理装置を提案しようとするものである。
【手続補正５】
【補正対象書類名】明細書
【補正対象項目名】０００８
【補正方法】変更
【補正の内容】
【０００８】
かかる課題を解決するため本発明においては、記憶装置において、情報処理装置とデータ通信するためのデータ通信手段と、データを記憶する複数のメモリ手段と、複数のメモリ手段を制御して、情報処理装置からデータ通信手段を介して取り込んだデータを複数のメモリ手段に書き込むデータ書込処理、又は情報処理装置から要求されたデータを複数のメモリ手段から読み出すデータ読出処理を任意のデータ転送速度で実行する制御手段とを設け、制御手段は、情報処理装置からデータ通信手段を介して取り込んだ、消費電力の異なる複数の処理実行形態のうち１の当該処理実行形態を指定する指定信号に基づき、当該指定信号により指定された処理実行形態での消費電力に見合ったデータ転送最低速度を保障するデータ転送速度でデータ書込処理又はデータ読出処理を実行するようにした。
【手続補正６】
【補正対象書類名】明細書
【補正対象項目名】０００９
【補正方法】変更
【補正の内容】
【０００９】
この結果、本発明では、記憶装置において、指定信号によって指定される処理実行形態が変更されると、これに応じてデータ書込処理やデータ読出処理を実行する際のデータ転送速度を変更することができる。
【手続補正７】
【補正対象書類名】明細書
【補正対象項目名】００１０
【補正方法】変更
【補正の内容】
【００１０】
また本発明においては、記憶装置において、設定可能な処理実行形態を、当該処理実行形態に応じた消費電力、データ転送速度、データ書込処理又はデータ読出処理に用いるメモリ手段の個数と対応付けて示す１又は複数の処理実行形態情報を記憶する形態情報記憶手段を設け、制御手段は、情報処理装置から送信された指定信号がデータ通信手段によって受信されると、形態情報記憶手段に記憶された１又は複数の処理実行形態情報のうち、指定信号により指定された処理実行形態を示す処理実行形態情報に基づき、データ書込処理又はデータ読出処理を当該処理実行形態での消費電力に見合ったデータ転送最低速度を保障するデータ転送速度で実行するように設定するようにした。
【手続補正８】
【補正対象書類名】明細書
【補正対象項目名】００１１
【補正方法】変更
【補正の内容】
【００１１】
この結果、本発明では、記憶装置において、指定信号に基づきデータ書込処理又はデータ読出処理に用いるメモリ手段の個数を制御して最低のデータ書込処理速度や最低のデータ読出処理速度を保障することができ、コマ落ちしないで動画像データを録画させることができるといった効果や、音楽（音声）データを切れ目なく録音／再生させることができるといった効果等を得ることができる。
【手続補正９】
【補正対象書類名】明細書
【補正対象項目名】００１２
【補正方法】変更
【補正の内容】
【００１２】
本発明によれば、記憶装置において、情報処理装置とデータ通信するためのデータ通信手段と、データを記憶する複数のメモリ手段と、複数のメモリ手段を制御して、情報処理装置からデータ通信手段を介して取り込んだデータを複数のメモリ手段に書き込むデータ書込処理、又は情報処理装置から要求されたデータを複数のメモリ手段から読み出すデータ読出処理を任意のデータ転送速度で実行する制御手段とを設け、制御手段は、情報処理装置からデータ通信手段を介して取り込んだ、消費電力の異なる複数の処理実行形態のうち１の当該処理実行形態を指定する指定信号に基づき、当該指定信号により指定された処理実行形態での消費電力に見合ったデータ転送最低速度を保障するデータ転送速度でデータ書込処理又はデータ読出処理を実行するようにしたことにより、指定信号によって指定される処理実行形態が変更されると、これに応じてデータ書込処理やデータ読出処理を実行する際のデータ転送速度を変更することができ、かくしてデータ書込処理速度やデータ読出処理速度を適宜変更することができる。